(57)【要約】【課題】内視鏡がトップカバーの平面部に接触して消毒が不完全になるのを防止する。【解決手段】内視鏡１０は、洗浄槽３１内に貯えられた消毒液８３に浸漬されて消毒される。トップカバー３７の内面部６４には、洗浄槽３１内に向けて突出された複数の突起６６が設けられている。内面部６４は、洗浄槽３１内に貯えられている消毒液８３に接触し、内視鏡１０とともに消毒される。内視鏡１０の挿入部１１は、重なり合うことにより洗浄槽３１の深さよりも高くなり、突起６６に接触することがある。内視鏡１０と突起６６の接触面積は小さいので、内視鏡１０の消毒が阻害されることはない。【選択図】図４
2009189413.tif 000002
【特許請求の範囲】
【請求項１】
内視鏡を収容する洗浄槽と、前記洗浄槽の上部の開口を開閉する蓋とを有し、前記洗浄槽内に貯えられた消毒液に前記内視鏡を浸漬させて前記内視鏡を消毒する内視鏡洗浄消毒装置において、
前記蓋が閉じられているときに前記洗浄槽の開口全体に対面または嵌合し、前記洗浄槽内に貯えられている前記消毒液に全面が接触する前記蓋の内面部と、
前記内面部に設けられ、前記洗浄槽内に向かって突出された複数の突起とを備えたことを特徴とする内視鏡洗浄消毒装置。
【請求項２】
前記突起は、先端が尖っていることを特徴とする請求項１記載の内視鏡洗浄消毒装置。
【請求項３】
前記内視鏡の収容位置に応じて前記突起の配置密度を変化させたことを特徴とする請求項１または２記載の内視鏡洗浄消毒装置。
【請求項４】
前記洗浄槽の底面に、前記内視鏡の収容位置を表す絵が描かれていることを特徴とする請求項３記載の内視鏡洗浄消毒装置。
【請求項５】
前記蓋に振動を付与する振動付与手段を設けたことを特徴とする請求項１〜４いずれか記載の内視鏡洗浄消毒装置。
【発明の詳細な説明】
【技術分野】
【０００１】
本発明は、内視鏡を収容する洗浄槽と、洗浄槽の上部の開口を開閉する蓋とを備えた内視鏡洗浄消毒装置に関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。内視鏡には、上部消化器官用、下部消化器官用、気管支用等、様々なタイプがある。挿入部の長さは、内視鏡のタイプにより異なっており、１ｍ以下のものから１．５ｍを超えるものまで様々である。
【０００３】
使用後の内視鏡は、挿入部の外表面と各チャンネル内に体液や汚物が付着している。体液や汚物に含まれる病原菌やウイルスは院内感染の原因となるので、使用後の内視鏡は、必ず洗浄、消毒されている。内視鏡の洗浄は、水や洗剤を用いて内視鏡に付着した体液や汚物を洗い流す処理である。内視鏡の消毒は、消毒液中に内視鏡を浸漬させ、洗浄で除去されない病原菌やウイルスを除去し、または病原性を消失させる処理である。
【０００４】
内視鏡の洗浄、消毒を効率的に行うため、内視鏡洗浄消毒装置が利用されている。図１２に示すように、従来の内視鏡洗浄消毒装置１３０は、洗浄槽１３１、給水ノズル１３２、給液ノズル１３３等を備えている。洗浄槽１３１は、上部が開放された水槽であり、使用後の内視鏡１３５が収容される。給水ノズル１３２は、洗浄槽１３１内に洗浄液である水を噴射する。給液ノズル１３３は、内視鏡１３５の消毒時に洗浄槽１３１内に消毒液を供給する。
【０００５】
内視鏡洗浄消毒装置１３０は、洗浄槽１３１の上部の開口１３１ａを開閉するトップカバーを備えている。トップカバーは、洗浄槽１３１に内視鏡１３５を収容し、または取り出す際に開放され、洗浄及び消毒時に閉じられている。トップカバーには、給水ノズル１３２及び給液ノズル１３３を覆う凸部が設けられている。給水ノズル１３２及び給液ノズル１３３は、洗浄槽１３１内に貯えられた液体に水没しないように、洗浄槽１３１の上方に配置されているからである。また、内視鏡１３５の洗浄により汚染されたトップカバーの内面を洗浄、消毒するため、トップカバーの内面には、洗浄槽１３１に貯えられた消毒液に接触される平面部が設けられている（例えば、特許文献１参照）。
【特許文献１】特許第３２１９７３０号公報
【発明の開示】
【発明が解決しようとする課題】
【０００６】
特許文献１記載の内視鏡洗浄消毒装置では、内視鏡の消毒が不完全になることがある。内視鏡は、挿入部が環状に屈曲されて洗浄槽内に収容されている。挿入部は、自身の弾性や振動、衝撃、洗浄液の水流等により屈曲が解消され、収容当初と異なる位置に移動することがある。例えば、挿入部の先端がトップカバーの凸部内に移動して消毒液の液面から突き出ると、その突き出た部分は消毒液に浸漬されず、もしくは浸漬時間が短くなる。
【０００７】
図１２に示すように、長い挿入部１３６を有する内視鏡１３５を洗浄槽１３１に収容する場合、屈曲された挿入部１３６に２重、または３重の重なりが生じる。内視鏡１３５は、ビデオプロセッサに接続されるコネクタ部１３７が先端に設けられたユニバーサルコード１３８を備えており、このユニバーサルコード１３８も挿入部１３６に重なってしまう。また、洗浄槽内に２台の内視鏡を収容して洗浄、消毒を行う内視鏡洗浄消毒装置が知られているが、この内視鏡洗浄消毒装置では、挿入部及びユニバーサルコードの重なりが更にひどくなる。
【０００８】
挿入部１３６及びユニバーサルコード１３８が重なった内視鏡１３５は、その高さが洗浄槽１３１の深さを超えることがある。この状態でトップカバーを閉じると、図１３に示すように、トップカバー１４０の平面部１４０ａに挿入部１３６やユニバーサルコード１３８が押し付けられる。図１４に示すように、トップカバー１４０の平面部１４０ａと挿入部１３６との間には、線状に接触する線状接触Ａが生じる。この線状接触Ａには接液不良が生じるので、結果的に消毒が不完全になる。
【０００９】
挿入部１３６の高さが洗浄槽１３１の深さを超えているか否かは、トップカバー１４０を閉じる前には分りづらい。また、挿入部１３６とトップカバー１４０の平面部１４０ａとが接触していることが分ったとしても、一度閉じたトップカバー１４０を再度開放して内視鏡１３５を取り出し、挿入部１３６の曲げを直す作業は煩わしい。そのため、挿入部１３６とトップカバー１４０の接触状態を解消せずに、内視鏡１３５の洗浄、消毒が行われることがある。
【００１０】
本発明の目的は、洗浄槽にいかなる内視鏡を収容させても、消毒が不完全になることを防止することにある。
【課題を解決するための手段】
【００１１】
本発明の内視鏡洗浄消毒装置は、洗浄槽の蓋が閉じられているときに洗浄槽の開口全体に対面または嵌合し、洗浄槽内に貯えられている消毒液に全面が接触する蓋の内面部を設けている。また、蓋が閉じられているときに洗浄槽内に向かって突出される複数の突起を蓋の内面部に設けている。
【００１２】
突起の先端は、尖っていてもよい。また、内視鏡の収容位置に応じて突起の配置密度を変化させてもよい。この場合、洗浄槽の底面に内視鏡の収容位置を表す絵を描くことが好ましい。更に、蓋に振動を付与して内視鏡と突起の接触位置を変化させる振動付与手段を設けてもよい。
【発明の効果】
【００１３】
本発明によれば、洗浄槽内に収容した内視鏡を蓋の内面部に設けられた複数の突起で受けるので、内視鏡と内面部との接触面積が小さくなる。これにより、内視鏡には、消毒液に対する接触時間が短くなる接液不良が発生しないので、内視鏡を適切に消毒することができる。
【００１４】
洗浄槽の蓋が閉じられたときに、内面部を洗浄槽の開口全体に対面、または嵌合させ、内面部全体を消毒液に接触させているので、内視鏡の先端が消毒液の外に突き出して、消毒が不完全になることはない。また、蓋の内側全体が消毒されるので、蓋の内面部に付着した水滴による内視鏡の汚染を防止することができる。
【００１５】
突起の先端を尖らせているので、内視鏡と突起との接触面積をより小さくすることができる。また、内視鏡の収容位置に応じて突起の配置密度を変化させることにより、突起の数を少なくすることができる。突起の数が少なくなれば、蓋の内面部の洗浄、消毒性が向上する。更に、洗浄槽の底面に内視鏡の収容位置を表す絵を描いているので、洗浄槽に対する内視鏡の収容位置が明確になり、毎回同じ位置に配置することができる。これにより、配置密度を変化させた突起でも内視鏡を適切に受けることができる。
【００１６】
内視鏡と突起が、同じ位置で接触し続けると、その接触位置の消毒が不完全になることがある。本発明では、蓋に振動付与手段を設けたので、蓋に振動を付与して内視鏡と突起の接触位置を変化させることができる。
【発明を実施するための最良の形態】
【００１７】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００１８】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００１９】
操作部１２には、鉗子口２０、送気・送水ボタン２１、吸引ボタン２２が設けられている。鉗子口２０には、使用時に取り外される鉗子口キャップ２３が嵌合されている。送気・送水ボタン２１及び吸引ボタン２２は、装着口１２ａ，１２ｂに着脱自在に取り付けられている。鉗子口キャップ２３、送気・送水ボタン２１及び吸引ボタン２２は、内視鏡１０の洗浄時に操作部１２から取り外される。
【００２０】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、コネクタ部２６の接点部を隠して防水する防水キャップ２７（図３参照）が装着される。
【００２１】
図２に示す内視鏡洗浄消毒装置（以下、装置と呼ぶ）２８は、使用後の内視鏡１０を収容して洗浄、消毒する装置である。装置２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００２２】
装置本体３０の上面手前には、操作パネル３３、及び表示パネル３４が配されている。操作パネル３３は、内視鏡１０の洗浄、消毒に関する各種設定や、洗浄及び消毒の開始または停止等を指示するための多数のボタンからなる。表示パネル３４には、例えば液晶ディスプレイ（ＬＣＤ）が用いられ、各種設定画面、各工程の残り時間、トラブル発生時の警告メッセージ等が表示される。
【００２３】
装置本体３０の上面には、洗浄槽３１の上部の開口３１ａを開閉するトップカバー３７が設けられている。トップカバー３７は、例えばプラスチックで形成された矩形の板状体であり、装置本体３０の上面に設けられたヒンジ３８に一辺が軸支されている。詳しくは図示しないが、トップカバー３７には、閉じ位置でロックするためのロック機構が設けられている。
【００２４】
装置本体３０の一方の側面には、箱状のサブタンク収容部４０が設けられている。サブタンク収容部４０の中には、サブタンク４１が内蔵されている。サブタンク４１は、例えば密閉された箱状の水槽であり、耐熱性、耐蝕性に優れた金属板で形成されている。サブタンク４１は、消毒液が流動可能な連通路４２によって洗浄槽３１と接続されている。連通路４２は、洗浄槽３１とサブタンク４１の近接する側面の間に設けられている。
【００２５】
サブタンク４１は、洗浄槽３１に供給される洗浄液または消毒液の供給量の調節に用いられる。本実施形態では、洗浄槽３１の開口３１ａ全体がトップカバー３７によって覆われるので、従来の内視鏡洗浄消毒装置のように、洗浄槽３１内で洗浄液または消毒液の液面を検出して供給量を制御することができないからである。
【００２６】
図３に示すように、洗浄槽３１の内側面３１ｂには、内視鏡１０の洗浄、消毒に用いる液体を洗浄槽３１内に供給する供給ポート４４が設けられている。供給ポート４４には、洗浄槽３１内に突出された、給水ノズル４５、洗剤供給ノズル４６、消毒液供給ノズル４７が設けられている。
【００２７】
給水ノズル４５は、洗浄槽３１内に水を供給する。洗剤供給ノズル４６は、洗浄槽３１内に洗剤（例えば、液状酵素洗剤等）を供給する。消毒液供給ノズル４７は、洗浄槽３１内に消毒液（例えば、グルタールアルデヒトや過酢酸、オルトフタルアルデヒト等）を供給する。内視鏡１０に付着している体液や汚物は、水と洗剤とが混合された洗浄液により洗い流される。洗浄液で洗い流されなかった病原菌やウイルスは、消毒液により除去され、または病原性が消失される。
【００２８】
洗浄槽３１の内側面３１ｃには、チャンネル洗浄ポート４９が設けられている。チャンネル洗浄ポート４９は、内視鏡１０の送気・送水チャンネル１５、鉗子チャンネル１６及び吸引チャンネル１７内の洗浄、消毒に用いられる。チャンネル洗浄ポート４９には、送気・送水チャンネル用カプラ５０、吸引チャンネル用カプラ５１、鉗子チャンネル用カプラ５２が設けられている。
【００２９】
洗浄槽３１に収容された内視鏡１０は、柔軟性を有するチューブ５４〜５６によって、装着口１２ａ，１２ｂ及び鉗子口２０と、各カプラ５０〜５２とが接続される。各カプラ５０〜５２からは、水、洗浄液、消毒液、アルコール、及び圧縮エア等の気体及び液体が、送気・送水チャンネル１５、鉗子チャンネル１６及び吸引チャンネル１７内に供給される。
【００３０】
供給ポート４４の近傍には、内視鏡１０の気密試験に用いられる気密試験ポート５８が設けられている。気密試験ポート５８には、圧縮エアを供給するチューブカプラ５８ａが設けられている。チューブカプラ５８ａには、柔軟性を有するチューブが装着される。チューブは、コネクタ部２６に装着された防水キャップ２７に接続される。
【００３１】
洗浄槽３１の底面３１ｄには、小物洗浄かご６０が取り付けられている。小物洗浄かご６０は、例えば上部が開口された長方形状のかごであり、内視鏡１０の操作部１２から取り外された送気・送水ボタン２１、吸引ボタン２２、鉗子口キャップ２３等の小物部品が収容される。また、底面３１ｄの角部には、廃液口６２が設けられている。廃液口６２は、洗浄槽３１から使用済みの水、洗浄液、消毒液を排出する。
【００３２】
トップカバー３７の内面３７ａには、厚み方向に突出された平板状の内面部６４が設けられている。内面部６４の外周には、ゴムやエラストマー等で形成された防水パッキン６５が設けられている。図４に示すように、トップカバー３７が閉じられると、防水パッキン６５が洗浄槽３１の上面外周に設けられた縁部３１ｅに当接して洗浄槽３１内が密閉される。内面部６４は、洗浄槽３１の開口３１ａ全体に対面し、または開口３１ａに緩く嵌合する大きさを有している。内面部６４の平面部分６４ａは、トップカバー３７が閉じられたときに略水平に配置される。
【００３３】
平面部分６４ａの全域には、トップカバー３７が閉じられたときに洗浄槽３１内に向かって突出する微小な突起６６が均一な配置間隔で複数個設けられている。突起６６は、先端が尖った円錐形状である。図５に示すように、突起６６の配置間隔Ｌ１は、例えば、内視鏡１０の挿入部１１の直径Ｄよりも狭くされている。挿入部１１が突起６６の間に入り込んでも、挿入部１１の外表面には突起６６の先端が接触するので、内視鏡１０と突起６６の接触面積は非常に小さくなる。
【００３４】
図１３及び１４に示す従来のトップカバー１４０は、平面部１４０ａに突起が設けられていないので、挿入部１３６と平面部１４０ａとの間で線状接触Ａが生じる。線状接触Ａは、接液不良以外に、消毒液の液流の妨げにもなるので、該当箇所周辺に付着したゴミの除去にも影響する。これに対し、本発明では、トップカバー３７に突起６６を設けているので線状接触は発生しない。また、トップカバー３７と内視鏡１０の間には突起６６による空間Ｂが形成されるので、消毒液の液流を確保し、挿入部１１に付着したゴミの除去を確実に行うことができる。
【００３５】
図６は、装置本体３０内の配管系統を示している。洗浄槽３１の下面には、ラバーヒータ６７が取り付けられている。ラバーヒータ６７は、洗浄槽３１を介して、洗浄槽３１内に貯えられた洗浄液または消毒液を加熱する。洗浄槽３１内には、上述の供給ポート４４等の他に、洗浄液または消毒液の温度を計測する温度センサ（ＴＥ）６８が設けられている。
【００３６】
給水ノズル４５には、水、洗浄液、消毒液が流される給液路７０が接続されている。給液路７０には、洗浄槽３１内に貯えられた液体の逆流を防止する逆止弁７１が設けられている。
【００３７】
給液路７０の他端は、電動三方弁７３の一端に接続されている。電動三方弁７３の他端には、給水路７４が接続されている。給水路７４は、装置本体３０の外部に露呈されて水道水の蛇口に接続されている。給水路７４には、蛇口に接続される側から電磁弁７５、ウォータフィルタ（以下、ＷＦと省略する）７６が設けられている。電磁弁７５は、給水路７４に対する水道水の供給／停止を切り換える。ＷＦ７６は、水道水に含まれる異物や細菌を捕捉する。電動三方弁７３は、洗浄槽３１内に水を供給する際に、給液路７０と給水路７４とを接続する。
【００３８】
洗剤供給ノズル４６には、洗剤７８を供給する洗剤供給路７９が接続されている。洗剤供給路７９の他端は、洗剤７８が収容された洗剤タンク８０に接続されている。洗剤供給路７９には、洗剤タンク８０側からウォータポンプ（以下、ＷＰと省略する）８１と、逆止弁８２設けられている。ＷＰ８１は、洗剤タンク８０内の洗剤７８を吸引する。逆止弁８２は、液体の逆流を防止する。
【００３９】
消毒液供給ノズル４７には、消毒液８３を供給する消毒液供給路８４が接続されている。消毒液供給路８４の他端は、消毒液８３が収容された消毒液タンク８５に接続されている。消毒液供給路８４には、消毒液タンク８５側からＷＰ８６及び逆止弁８７が設けられている。ＷＰ８６は、消毒液タンク８５内の消毒液８３を吸引する。逆止弁８７は、液体の逆流を防止する。消毒液タンク８５には、使用済みの消毒液８３を排出する排出通路８５ａが設けられている。
【００４０】
廃液口６２には、下流側で分岐された廃液路９０が接続されている。分岐された一方の第１廃液路９１は、内視鏡１０の洗浄で使用された洗浄液、水をＷＰ９２によって装置本体３０の外に排出する。他方の第２廃液路９３は、内視鏡１０の消毒に使用された消毒液８３を消毒液タンク８５に戻す。消毒液８３は、数回の使用では消毒効果が消失しないので、消毒液タンク８５に戻されて繰り返し使用される。第１廃液路９１及び第２廃液路９３は、各々に設けられた電磁弁９４、９５の開閉により切り換えられる。
【００４１】
廃液口６２には、洗浄槽３１に貯えられた洗浄液、消毒液８３、水を循環させる循環路９７も接続されている。循環路９７には、洗浄槽３１内の液体を吸引するＷＰ９８が設けられている。循環路９７は、ＷＰ９８の下流側で第１循環路９９と第２循環路１００とに分岐されている。第１循環路９９は、電動三方弁７３接続されている。電動三方弁７３は、洗浄槽３１内に貯えられた水、洗浄液、消毒液８３を循環させる際に、給液路７０と第１循環路９９とを接続する。
【００４２】
第２循環路１００は、上述したチャンネル洗浄ポート４９の各カプラ５０〜５２に接続されている。第２循環路１００に流された洗浄液、消毒液８３、水は、チャンネル洗浄ポート４９の各カプラ５０〜５２、チューブ５４〜５６を経て、送気、送水チャンネル１５、鉗子チャンネル１６及び吸引チャンネル１７を洗浄、消毒する。
【００４３】
チャンネル洗浄ポート４９には、第２循環路１００の他、各チャンネル内に送風して水滴を除去する送気路、各チャンネル内にアルコールを流して乾燥させるアルコール供給路等が接続されている。なお、図面の煩雑化を防ぐため、図６には、チャンネル洗浄ポート４９及び気密試験ポート５８と、これらに接続されている各種供給路を図示していない。
【００４４】
サブタンク４１内には、洗浄液または消毒液８３の液面を検出する液面検出センサ１０３が設けられている。液面検出センサ１０３には、例えば液面に応じてフロートが上下動するフロート式レベルセンサが用いられている。洗浄槽３１とサブタンク４１は、連通路４２によって接続されているので、両者に貯えられる洗浄液または消毒液８３の液面位置は等しくなる。そのため、液面検出センサ１０３でサブタンク４１内の洗浄液または消毒液８３の液面を検出することにより、洗浄槽３１内の液面位置を知ることができる。
【００４５】
サブタンク４１は、その深さ方向が洗浄槽３１の上面よりも高くなるように形成されている。これは、消毒液８３がトップカバー３７の内面部６４に接触するように供給されるのを確実に検出するためである。
【００４６】
サブタンク４１の側面上部には、洗浄槽３１及びサブタンク４１内の空気を装置本体３０外に排気する排気通路１０５が設けられている。排気通路１０５には、有害な消毒液蒸気の流出を防止するエアフィルタ（ＡＦ）１０６が設けられている。サブタンク４１の底面４１ａには、廃液口１０７が設けられている。廃液口１０７には、廃液路９０に接続されたサブ廃液路１０８が接続されている。
【００４７】
図７に示すように、装置２８は、装置全体を統括的に制御するＣＰＵ１１０と、制御プログラムや各種データが記憶されたＲＯＭ１１１と、ＲＯＭ１１１から読み出された制御プログラムの実行領域であるＲＡＭ１１２とを備えている。ＣＰＵ１１０には、表示パネル３４を駆動するＬＣＤドライバ１１３、各電磁弁を駆動する弁ドライバ１１４、電動三方弁７３を駆動するモータドライバ１１５、各ＷＰを駆動するＷＰドライバ１１６、ラバーヒータ６７を駆動するヒータドライバ１１７等が接続されている。
【００４８】
図８のフローチャートを参照して、内視鏡洗浄消毒装置２８による内視鏡１０の洗浄、消毒工程を説明する。内視鏡１０は、検査終了後すぐにシンク等で水洗い（予備洗浄）され、付着している汚物等が乾燥して落ちにくくなる前に洗い流される。なお、予備洗浄後すぐに内視鏡１０の洗浄を行えるように、装置２８の電源をオンしておくことが好ましい。
【００４９】
内視鏡１０の操作部１２から送気・送水ボタン２１、吸引ボタン２２、鉗子口キャップ２３等の小物部品が取り外され、小物洗浄かご６０に収容される。操作部１２は、装着口１２ａ，１２ｂがチャンネル洗浄ポート４９に対面し、かつ洗浄槽３１の長手方向に沿うように洗浄槽３１内に収容される。挿入部１１は、環状に巻かれて内側面３１ｃと小物洗浄かご６０の間に載置される。コネクタ部２６は、ユニバーサルコード２５が屈曲されて内側面３１ｆと小物洗浄かご６０との間に載置される。コネクタ部２６には、防水キャップ２７が装着される。
【００５０】
チャンネル洗浄ポート４９の送気・送水チャンネル用カプラ５０、吸引チャンネル用カプラ５１、鉗子チャンネル用カプラ５２には、チューブ５４〜５６がそれぞれ取り付けられる。チューブ５４〜５６は、内視鏡１０の送気・送水ボタンの装着口１２ａ、吸引ボタンの装着口１２ｂ、鉗子口２０にそれぞれ接続される。内視鏡１０の洗浄槽３１への収容後、トップカバー３７が閉じられる。トップカバー３７の内面部６４は、洗浄槽３１の開口３１ａ全体に対面し、または緩く嵌合する。
【００５１】
挿入部１１が長い場合、洗浄槽３１内で屈曲された挿入部１１に２重、または３重の重なりが生じる。挿入部１１だけはなく、挿入部１１とユニバーサルコード２５との間でも重なりが生じる。挿入部１１及びユニバーサルコード２５が重なった内視鏡１０は、その高さが洗浄槽３１の深さを超えることがある。この状態でトップカバー３７を閉じると、トップカバー３７の内面部６４に挿入部１１やユニバーサルコード２５が押し付けられる。しかし、内面部６４には多数の突起６６が設けられているので、挿入部１１と内面部６４との間に線状接触は発生しない。
【００５２】
操作パネル３３が操作され、内視鏡１０の洗浄処理が開始される。ＣＰＵ１１０は、弁ドライバ１１４を制御して電磁弁７５を開く。また、モータドライバ１１５を制御して電動三方弁７３切り換え、給液路７０と給水路７４とを接続させる。水道管からの水圧によって給水路７４を流れた水は、ＷＦ７６により清浄化される。給水路７４を経て給液路７０に流れた水は、給水ノズル４５から洗浄槽３１内に噴射される。
【００５３】
ＣＰＵ１１０は、洗浄槽３１への給水開始と同時にＷＰ８１を駆動させ、洗剤供給ノズル４６から所定量の洗剤７８を洗浄槽３１内に吐出させる。これにより、洗浄槽３１内には、水と洗剤７８とが混合された洗浄液が生成される。
【００５４】
洗浄液は、連通路４２を通ってサブタンク４１内に流れ込む。サブタンク４１内の洗浄液の液面が連通路４２よりも高くなったときに、洗浄槽３１とサブタンク４１内の洗浄液は液面の高さが等しくなる。洗浄槽３１内の洗浄液の量は、液面検出センサ１０３により検出される。ＣＰＵ１１０は、洗浄液の液面が所定位置に達したときに電磁弁７５を閉じて給水を停止させる。
【００５５】
ＣＰＵ１１０は、ヒータドライバ１１７を制御してラバーヒータ６７を駆動させる。ラバーヒータ６７の熱は、洗浄槽３１を介して洗浄液に伝達される。洗浄液の温度は、温度センサ６８により検出される。ＣＰＵ１１０は、洗浄液が所定の温度を保つようにラバーヒータ６７を制御する。
【００５６】
ＣＰＵ１１０は、電動三方弁７３を切り換えて給液路７０と第１循環路９９とを接続し、ＷＰ９８を駆動させる。廃液口６２に排出された洗浄液は、循環路９７、第１循環路９９、給液路７０を流れ、給水ノズル４５によって内視鏡１０に向けて噴射される。内視鏡１０の外表面に付着した体液や汚物は、噴射された洗浄液の衝撃と、循環時の渦流によって洗い流される。洗浄液の循環により洗剤の濃度勾配が平準化されるため、洗浄槽３１内の全域で同じ洗浄力を得ることができる。
【００５７】
また、循環路９７を流れた洗浄液は、第２循環路１００、チャンネル洗浄ポート４９等を経て内視鏡１０内に供給される。内視鏡１０内に供給された洗浄液は、送気・送水チャンネル１５、鉗子チャンネル１６及び吸引チャンネル１７内を洗浄する。
【００５８】
ＣＰＵ１１０は、所定時間の経過後に電磁弁９４を開いてＷＰ９２を駆動させる。洗浄に使用された洗浄液は、廃液口６２、廃液路９０、第１廃液路９１を流れて装置本体３０の外に排出される。なお、循環路９７等の内部に洗浄液が残らないようにするため、ＷＰ９８は洗浄液の排出終了後に駆動が停止される。
【００５９】
洗浄液を内視鏡１０から除去するため、水によるすすぎが実施される。ＣＰＵ１１０は、洗浄槽３１内に所定量の水を供給し、この水を循環させて内視鏡１０の外表面と各チャンネル内に付着した洗浄液を除去する。水の供給、すすぎ後の水の排出は、洗浄時と同じなので詳しい説明は省略する。
【００６０】
ＣＰＵ１１０は、ＷＰ８６を駆動させ、洗浄槽３１内に消毒液８３を供給する。ＣＰＵ１１０は、液面検出センサ１０３により洗浄槽３１内の消毒液８３の液面位置を検出する。ＣＰＵ１１０は、消毒液８３の液面位置がトップカバー３７の内面部６４に接触する位置になったときに、ＷＰ８６を停止させる。
【００６１】
ＣＰＵ１１０は、ラバーヒータ６７及び温度センサ６８を用いて消毒液８３を所定の温度まで加熱する。ＣＰＵ１１０は、消毒液８３の加熱後、ＷＰ９８を駆動させ、洗浄槽３１内と、各チャンネル内で消毒液８３を循環させる。内視鏡１０の外表面と各チャンネルは、消毒液８３に浸漬されて消毒される。ＣＰＵ１１０は、所定時間の経過後に電磁弁９５を開き、消毒液８３を消毒液タンク８５に戻す。
【００６２】
内視鏡１０の消毒中に、消毒液８３の循環流、または何らかの振動、衝撃等によって内視鏡１０が洗浄槽３１内で動き、挿入部１１が内面部６４に接触することがある。内面部６４には、複数の突起６６が設けられているので、挿入部１１と内面部６４との間に線状接触は発生しない。また、突起６６による空間Ｂが形成されるので、消毒液８３の液流を確保し、挿入部１１に付着したゴミの除去を確実に行うことができる。
【００６３】
また、本発明では、洗浄槽３１の開口３１ａ全体にトップカバー３７の内面部６４が対面し、消毒液８３が内面部６４に接触しているので、挿入部１１が消毒液８３の外に突き出ることはない。
【００６４】
消毒終了後、内視鏡１０から消毒液８３を除去するため、すすぎが２回行われる。ＣＰＵ１１０は、すすぎの終了後に内視鏡１０の各チャンネル内に送風して水滴を除去し、次いで、各チャンネル内にアルコールを流して乾燥させる。
【００６５】
内視鏡１０の洗浄、消毒の完了後、トップカバー３７が開放されて洗浄槽３１から内視鏡１０が取り出される。トップカバー３７の内面部６４には、すすぎ時の水滴が付着しているが、内面部６４は、内視鏡１０とともに消毒されているので、水滴により内視鏡１０が再び汚染されることはない。
【００６６】
なお、上記実施形態では、内面部６４の全域に均一な配置間隔で突起６６を設けているが、突起６６の設けられる位置に応じて配置間隔、すなわち配置密度を変化させてもよい。図９に示す２点鎖線は、トップカバー３７を閉じたときに洗浄槽３１内に対面する複数の突起６６の位置を示している。この実施形態では、内視鏡１０に対面する位置の突起６６の配置密度を、その他の部分の配置密度よりも高くしている。また、内視鏡１０に対面する位置にのみ突起６６を設けてもよい。
【００６７】
内視鏡１０の収容位置に合せて突起６６の配置密度を変化させる場合、内視鏡１０の収容位置が一定である必要がある。そこで、図１０に示すように、洗浄槽３１の底面３１ｄに内視鏡１０の収容位置を表す実物大のイラスト１２０を描いてもよい。このイラスト１２０に合せて内視鏡１０を洗浄槽３１に収容すれば、内視鏡１０の各部を突起６６に対面させることができる。
【００６８】
内視鏡１０と突起６６が、同じ位置で接触し続けると、その接触位置の消毒が不完全になることがあるので、内視鏡１０と突起６６の接触位置を変化させるのが好ましい。例えば、図１１に示すように、トップカバー３７に振動を付与する振動付与機構１２３を取り付けてもよい。振動付与機構１２３によりトップカバー３７に振動を与えると、内視鏡１０が洗浄槽３１内で移動するので、内視鏡１０と突起６６の接触位置が変化する。
【００６９】
振動付与機構１２３としては、携帯電話機等に用いられるバイブレーション装置や、超音波振動装置等を用いることができる。また、洗浄液を超音波振動装置で振動させて内視鏡１０を洗浄する内視鏡洗浄消毒装置では、超音波振動装置をトップカバー３７の振動に兼用してもよい。
【００７０】
上記各実施形態では、消毒液８３を内面部６４に接触させたが、洗浄液またはすすぎ用の水も内面部６４に接触させてもよい。これにより、内面部６４を毎回洗浄することができる。また、洗浄槽３１に供給される消毒液８３の液面位置を検出するためサブタンク４１を設けたが、流量計で消毒液８３の供給量を検出してもよい。
【図面の簡単な説明】
【００７１】
【図１】内視鏡の構成例を示す平面図である。
【図２】本発明の内視鏡洗浄消毒装置の外観形状を示す斜視図である。
【図３】洗浄槽の構成を示す平面図である。
【図４】トップカバーを閉じた状態を示す断面図である
【図５】挿入部の径と突起の配置間隔の関係を示す断面図である。
【図６】装置本体内の概略的な配管系統を示す配管図である。
【図７】内視鏡洗浄消毒装置の電気的構成の一部を示すブロック図である。
【図８】内視鏡の洗浄、消毒手順を示すフローチャートである。
【図９】内視鏡の収納位置に合せて配置密度を変化させた突起を示す洗浄槽の平面図である。
【図１０】洗浄槽の底面に内視鏡の収納位置を表すイラストを描いた内視鏡洗浄消毒装置の外観斜視図である。
【図１１】トップカバーに振動付与機構を設けた実施形態の配管図である。
【図１２】従来の内視鏡洗浄消毒装置の洗浄槽内を示す平面図である。
【図１３】従来のトップカバーと挿入部との接触状態を示す断面図である。
【図１４】従来のトップカバーと挿入部との接触状態を示す斜視図である。
【符号の説明】
【００７２】
１０  内視鏡
１１  挿入部
１２  操作部
２８  内視鏡洗浄消毒装置
３０  装置本体
３１  洗浄槽
３１ａ  開口
３７  トップカバー
６１  内面部
６６  突起
８３  消毒液
１２０  イラスト
１２３  振動付与機構
【図１】
2009189413.tif 000003
【図２】
2009189413.tif 000004
【図３】
2009189413.tif 000005
【図４】
2009189413.tif 000006
【図５】
2009189413.tif 000007
【図６】
2009189413.tif 000008
【図７】
2009189413.tif 000009
【図８】
2009189413.tif 000010
【図９】
2009189413.tif 000011
【図１０】
2009189413.tif 000012
【図１１】
2009189413.tif 000013
【図１２】
2009189413.tif 000014
【図１３】
2009189413.tif 000015
【図１４】
2009189413.tif 000016